【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】  副走査方向に搬送されてくる被記録媒体に対して交差する主走査方向に走査することによって、前記被記録媒体に画像を記録する記録ヘッドを搭載したキャリッジと、
前記キャリッジに設けられた前記被記録媒体の濃度を検出する濃度検出手段と、
前記濃度検出手段の濃度の検出結果に基づいて前記被記録媒体の位置と幅を求める位置・幅測定手段と、
前記位置・幅測定手段により求めた位置と幅を基に前記被記録媒体の記録領域外への記録を防止する記録領域制御手段と、
前記被記録媒体上での記録の為のキャリッジ走査時に前記濃度検出手段の検出位置が前記被記録媒体上を走査するか否かを判定する走査判定手段とを備え、
前記被記録媒体上での記録の為のキャリッジ走査全てにおいて、前記濃度検出手段の検出位置が該被記録媒体上を走査しないと判定した場合は、前記記録を防止する制御を行わないことを特徴とした画像形成装置。
【請求項２】  副走査方向に搬送されてくる被記録媒体に対して交差する主走査方向に走査することによって、前記被記録媒体に画像を記録する記録ヘッドを搭載したキャリッジと、前記キャリッジに設けられた前記被記録媒体の濃度を検出する濃度検出手段と、前記濃度検出手段の検出結果に基づいて前記被記録媒体の位置と幅を求める位置・幅測定手段と、前記位置・幅測定手段により求めた位置と幅を基に前記被記録媒体の記録領域から外れた領域では記録しない記録制御手段を備えた画像形成装置において、
前記被記録媒体上での記録の為のキャリッジ走査時に前記濃度検出手段の検出位置が前記被記録媒体上を走査するか否かを判定する走査判定手段をさらに備え、
前記被記録媒体上での記録の為のキャリッジ走査全てにおいて、前記濃度検出手段の検出位置が該被記録媒体上を走査しないと判定した場合は、前記被記録媒体の位置及び幅を検知する為のキャリッジ走査を行うことを特徴とした画像形成装置。
【請求項３】  副走査方向に搬送されてくる被記録媒体に対して交差する主走査方向に走査することによって、前記被記録媒体に画像を記録する記録ヘッドを搭載したキャリッジと、前記キャリッジに設けられた前記被記録媒体の濃度を検出する濃度検出手段と、前記濃度検出手段の検出結果に基づいて前記被記録媒体の位置と幅を求める位置・幅測定手段と、前記位置・幅測定手段により求めた位置と幅を基に前記被記録媒体の記録領域から外れた領域では記録しない記録制御手段を備えた画像形成装置において、
前記被記録媒体上での記録の為のキャリッジ走査時に前記濃度検出手段の検出位置が前記被記録媒体上を走査するか否かを判定する走査判定手段をさらに備え、
前記被記録媒体上での記録の為のキャリッジ走査全てにおいて、前記濃度検出手段の検出位置が該被記録媒体上を走査しないと判定した場合は、前記被記録媒体位置及び幅とを基に前記記録領域を設定し、記録の為のキャリッジ走査を行うことを特徴とした画像形成装置。
【請求項４】  副走査方向に搬送されてくる被記録媒体に対して交差する主走査方向に走査することによって、前記被記録媒体に画像を記録する記録ヘッドを搭載したキャリッジと、
前記キャリッジに設けられた前記被記録媒体の濃度を検出する濃度検出工程と、
前記濃度検出工程の濃度の検出結果に基づいて前記被記録媒体の位置と幅を求める位置・幅検出工程と、
前記位置・幅検出工程により求めた位置と幅を基に被記録媒体の記録領域外への記録を防止する記録領域制御工程と、
前記被記録媒体上での記録の為のキャリッジ走査時に前記濃度検出工程の検出位置が前記被記録媒体上を走査するか否かを判定する走査判定工程とを備え、
前記被記録媒体上での記録の為のキャリッジ走査全てにおいて、前記濃度検出工程の検出位置が被記録媒体上を走査しないと判定した場合は、前記記録を防止する制御を行わないことを特徴とした画像形成方法。
【請求項５】  副走査方向に搬送されてくる被記録媒体に対して交差する主走査方向に走査することによって、前記被記録媒体に画像を記録する記録ヘッドを搭載したキャリッジと、前記キャリッジに設けられた前記被記録媒体の濃度を検出する濃度検出工程と、前記濃度検出工程の検出結果に基づいて前記被記録媒体の位置と幅を求める位置・幅検出工程と、前記位置・幅検出工程により求めた位置と幅を基に被記録媒体の記録領域から外れた領域では記録しない制御工程を備えた画像形成方法において、
前記被記録媒体上での記録の為のキャリッジ走査時に前記濃度検出工程の検出位置が前記被記録媒体上を走査するか否かを判定する走査判定工程をさらに備え、
前記被記録媒体上での記録の為のキャリッジ走査全てにおいて、前記濃度検出工程の検出位置が被記録媒体上を走査しないと判定した場合は、前記被記録媒体の位置及び幅を検知する為のキャリッジ走査を行うことを特徴とした画像形成方法。
【請求項６】  副走査方向に搬送されてくる被記録媒体に対して交差する主走査方向に走査することによって、前記被記録媒体に画像を記録する記録ヘッドを搭載したキャリッジと、前記キャリッジに設けられた前記被記録媒体の濃度を検出する濃度検出工程と、前記濃度検出工程の検出結果に基づいて前記被記録媒体の位置と幅を求める位置・幅測定工程と、前記位置・幅測定工程により求めた位置と幅を基に前記被記録媒体の記録領域から外れた領域では記録しない記録制御工程を備えた画像形成方法において、
前記被記録媒体上での記録の為のキャリッジ走査時に前記濃度検出工程の検出位置が前記被記録媒体上を走査するか否かを判定する走査判定工程をさらに備え、
前記被記録媒体上での記録の為のキャリッジ走査全てにおいて、前記濃度検出工程の検出位置が被記録媒体上を走査しないと判定した場合は、前記被記録媒体位置及び幅とを基に前記記録領域を設定し、記録の為のキャリッジ走査を行うことを特徴とした画像形成方法。
【手続補正２】
【補正対象書類名】明細書
【補正対象項目名】０００７
【補正方法】変更
【補正の内容】
【０００７】
【課題を解決するための手段】
かかる目的を達成するため、本発明の画像形成装置は、副走査方向に搬送されてくる被記録媒体に対して交差する主走査方向に走査することによって、被記録媒体に画像を記録する記録ヘッドを搭載したキャリッジと、キャリッジに設けられた被記録媒体の濃度を検出する濃度検出手段と、濃度検出手段の濃度の検出結果に基づいて被記録媒体の位置と幅を求める位置・幅測定手段と、位置・幅測定手段により求めた位置と幅を基に被記録媒体の記録領域外への記録を防止する記録領域制御手段と、被記録媒体上での記録の為のキャリッジ走査時に濃度検出手段の検出位置が被記録媒体上を走査するか否かを判定する走査判定手段とを備え、被記録媒体上での記録の為のキャリッジ走査全てにおいて、濃度検出手段の検出位置が被記録媒体上を走査しないと判定した場合は、記録を防止する制御を行わないことを特徴としている。
【手続補正３】
【補正対象書類名】明細書
【補正対象項目名】０００８
【補正方法】変更
【補正の内容】
【０００８】
請求項２記載の発明は、副走査方向に搬送されてくる被記録媒体に対して交差する主走査方向に走査することによって、被記録媒体に画像を記録する記録ヘッドを搭載したキャリッジと、キャリッジに設けられた被記録媒体の濃度を検出する濃度検出手段と、濃度検出手段の検出結果に基づいて被記録媒体の位置と幅を求める位置・幅測定手段と、位置・幅測定手段により求めた位置と幅を基に被記録媒体の記録領域から外れた領域では記録しない記録制御手段を備えた画像形成装置であり、被記録媒体上での記録の為のキャリッジ走査時に濃度検出手段の検出位置が被記録媒体上を走査するか否かを判定する走査判定手段をさらに備え、被記録媒体上での記録の為のキャリッジ走査全てにおいて、濃度検出手段の検出位置が被記録媒体上を走査しないと判定した場合は、被記録媒体の位置及び幅を検知する為のキャリッジ走査を行うことを特徴としている。
【手続補正４】
【補正対象書類名】明細書
【補正対象項目名】０００９
【補正方法】変更
【補正の内容】
【０００９】
請求項３記載の発明は、副走査方向に搬送されてくる被記録媒体に対して交差する主走査方向に走査することによって、被記録媒体に画像を記録する記録ヘッドを搭載したキャリッジと、キャリッジに設けられた被記録媒体の濃度を検出する濃度検出手段と、濃度検出手段の検出結果に基づいて、被記録媒体の位置と幅を求める位置・幅測定手段と、位置・幅測定手段により求めた位置と幅を基に被記録媒体の記録領域から外れた領域では記録しない記録制御手段を備えた画像形成装置であり、被記録媒体上での記録の為のキャリッジ走査時に濃度検出手段の検出位置が被記録媒体上を走査するか否かを判定する走査判定手段をさらに備え、被記録媒体上での記録の為のキャリッジ走査全てにおいて、濃度検出手段の検出位置が被記録媒体上を走査しないと判定した場合は、所定の被記録媒体位置及び幅とを基に記録領域を設定し、記録の為のキャリッジ走査を行うことを特徴としている。
【手続補正５】
【補正対象書類名】明細書
【補正対象項目名】００１０
【補正方法】変更
【補正の内容】
【００１０】
請求項４記載の発明の画像形成方法は、副走査方向に搬送されてくる被記録媒体に対して交差する主走査方向に走査することによって、被記録媒体に画像を記録する記録ヘッドを搭載したキャリッジと、キャリッジに設けられた被記録媒体の濃度を検出する濃度検出工程と、濃度検出工程の濃度の検出結果に基づいて被記録媒体の位置と幅を求める位置・幅検出工程と、位置・幅検出工程により求めた位置と幅を基に被記録媒体の記録領域外への記録を防止する記録領域制御工程と、被記録媒体上での記録の為のキャリッジ走査時に濃度検出工程の検出位置が被記録媒体上を走査するか否かを判定する走査判定工程とを備え、被記録媒体上での記録の為のキャリッジ走査全てにおいて、濃度検出工程の検出位置が被記録媒体上を走査しないと判定した場合は、記録を防止する制御を行わないことを特徴としている。
【手続補正６】
【補正対象書類名】明細書
【補正対象項目名】００１１
【補正方法】変更
【補正の内容】
【００１１】
請求項５記載の発明は、副走査方向に搬送されてくる被記録媒体に対して交差する主走査方向に走査することによって、被記録媒体に画像を記録する記録ヘッドを搭載したキャリッジと、キャリッジに設けられた被記録媒体の濃度を検出する濃度検出工程と、濃度検出工程の検出結果に基づいて被記録媒体の位置と幅を求める位置・幅検出工程と、位置・幅検出工程により求めた位置と幅を基に被記録媒体の記録領域から外れた領域では記録しない制御工程を備えた画像形成方法であり、被記録媒体上での記録の為のキャリッジ走査時に濃度検出工程の検出位置が被記録媒体上を走査するか否かを判定する走査判定工程をさらに備え、被記録媒体上での記録の為のキャリッジ走査全てにおいて、濃度検出工程の検出位置が被記録媒体上を走査しないと判定した場合は、被記録媒体の位置及び幅を検知する為のキャリッジ走査を行うことを特徴としている。
【手続補正７】
【補正対象書類名】明細書
【補正対象項目名】００１２
【補正方法】変更
【補正の内容】
【００１２】
請求項６記載の発明は、副走査方向に搬送されてくる被記録媒体に対して交差する主走査方向に走査することによって、被記録媒体に画像を記録する記録ヘッドを搭載したキャリッジと、キャリッジに設けられた被記録媒体の濃度を検出する濃度検出工程と、濃度検出工程の検出結果に基づいて、被記録媒体の位置と幅を求める位置・幅測定工程と、位置・幅測定工程により求めた位置と幅を基に被記録媒体の記録領域から外れた領域では記録しない記録制御工程を備えた画像形成方法であり、被記録媒体上での記録の為のキャリッジ走査時に濃度検出工程の検出位置が被記録媒体上を走査するか否かを判定する走査判定工程をさらに備え、被記録媒体上での記録の為のキャリッジ走査全てにおいて、濃度検出工程の検出位置が被記録媒体上を走査しないと判定した場合は、所定の被記録媒体位置及び幅とを基に記録領域を設定し、記録の為のキャリッジ走査を行うことを特徴としている。
【手続補正８】
【補正対象書類名】明細書
【補正対象項目名】００１６
【補正方法】変更
【補正の内容】
【００１６】
“被記録媒体上での記録の為のキャリッジ走査全てにおいて、濃度検出手段の検出位置が被記録媒体上を走査しないと判定”の実施例における、判定方法を以下に示す。
図２のように、記録ヘッド先端から濃度検出位置までの副走査送り方向に対する距離は、キャリッジ１のレイアウトによって決まる。これを、以下では“レイアウト値Ｌ”と呼ぶことにする。副走査方向において、記録用紙先端位置を基準（０とする）にした用紙記録開始位置を“ＹＳ”、また、用紙後端位置を“ＹＥ”と呼ぶことにする。
【手続補正９】
【補正対象書類名】明細書
【補正対象項目名】００１７
【補正方法】変更
【補正の内容】
【００１７】
判定方法は、記録のための１回目のキャリッジ走査において下記とする。
ＹＳ＋Ｌ > ＹＥ  …判定式１
上記の判定式１が成立すれば、“被記録媒体上での記録の為のキャリッジ走査全てにおいて、濃度検出手段の検出位置が被記録媒体上を走査しない”と判定する、という手法が例として挙げられる。
次に、第１〜第３の実施例の制御手順例を、図３〜図５に基き以下に説明する。
【手続補正１０】
【補正対象書類名】明細書
【補正対象項目名】００１８
【補正方法】変更
【補正の内容】
【００１８】
（第１の制御手順例）
図３に示した制御手順１において、記録ヘッドを搭載したキャリッジ１が、副走査方向に搬送されてくる被記録媒体に対して交差する主走査方向に走査することによって、被記録媒体に画像を記録する。
制御手順２において、このキャリッジ１に設けられた濃度検出手段が、被記録媒体の濃度を検出する。
制御手順３において、位置・幅検出手段が、濃度検出手段の検出結果に基づいて被記録媒体の位置と幅を求める。但し、制御手段は、位置・幅検出手段により求めた位置と幅を基に被記録媒体の記録領域から外れた領域では記録しない。
制御手順４において、走査判定手段は、被記録媒体上での記録の為のキャリッジ走査時に濃度検出手段の検出位置が被記録媒体上を走査するか否かを判定する。
上記の制御手順の結果、被記録媒体上での記録の為のキャリッジ走査全てにおいて、濃度検出手段の検出位置が被記録媒体上を走査しないと判定した場合は、記録しない制御を実行しない。
【手続補正１１】
【補正対象書類名】明細書
【補正対象項目名】００１９
【補正方法】変更
【補正の内容】
【００１９】
（第２の制御手順例）
第２の制御手順例では、上記第１の制御手順と同様に、画像形成装置は、副走査方向に搬送されてくる被記録媒体に対して交差する主走査方向に走査することによって、被記録媒体に画像を記録する記録ヘッドを搭載したキャリッジ１と、キャリッジ１に設けられた被記録媒体の濃度を検出する濃度検出手段と、濃度検出手段の検出結果に基づいて被記録媒体の位置と幅を求める位置・幅検出手段と、位置・幅検出手段により求めた位置と幅を基に被記録媒体の記録領域から外れた領域では記録しない制御手段を備えている。
【手続補正１２】
【補正対象書類名】明細書
【補正対象項目名】００２０
【補正方法】変更
【補正の内容】
【００２０】
上記構成の画像形成装置は、さらに、被記録媒体上での記録の為のキャリッジ走査時に濃度検出手段の検出位置が被記録媒体上を走査するか否かを判定する手段を備えている。本判定手段が、被記録媒体上での記録の為のキャリッジ走査全てにおいて、濃度検出手段の検出位置が被記録媒体上を走査しないと判定した場合は、被記録媒体の位置及び幅を検知する為のキャリッジ走査を行う。
【手続補正１３】
【補正対象書類名】明細書
【補正対象項目名】００２１
【補正方法】変更
【補正の内容】
【００２１】
（第３の制御手順例）
第３の実施例へ適用される画像形成装置は、副走査方向に搬送されてくる被記録媒体に対して交差する主走査方向に走査することによって、被記録媒体に画像を記録する記録ヘッドを搭載したキャリッジ１と、キャリッジ１に設けられた被記録媒体の濃度を検出する手段と、濃度検出手段の検出結果に基づいて、被記録媒体の位置と幅を求める手段と、この手段により求めた位置と幅を基に被記録媒体の記録領域から外れた領域では記録しない制御手段を備えている。
【手続補正１４】
【補正対象書類名】明細書
【補正対象項目名】００２２
【補正方法】変更
【補正の内容】
【００２２】
上記構成の画像形成装置は、さらに、被記録媒体上での記録の為のキャリッジ走査時に濃度検出手段の検出位置が被記録媒体上を走査するか否かを判定する手段を備え、被記録媒体上での記録の為のキャリッジ走査全てにおいて、濃度検出手段の検出位置が被記録媒体上を走査しないと判定した場合は、所定の被記録媒体位置及び幅とを基に記録領域を設定し、記録の為のキャリッジ走査を行う。
【手続補正１５】
【補正対象書類名】明細書
【補正対象項目名】００２７
【補正方法】変更
【補正の内容】
【００２７】
【発明の効果】
以上の説明より明らかなように、本発明の画像形成装置及び画像形成方法は、副走査方向に搬送されてくる被記録媒体に対して交差する主走査方向に走査することによって、被記録媒体に画像を記録する記録ヘッドを搭載し、被記録媒体の濃度を検出し、この濃度の検出結果に基づいて被記録媒体の位置と幅を求め、求めた位置と幅を基に被記録媒体の記録領域外への記録を防止する。また、被記録媒体上での記録の為のキャリッジ走査時に濃度検出位置が被記録媒体上を走査するか否かを判定し、被記録媒体上での記録の為のキャリッジ走査全てにおいて、濃度検出位置が被記録媒体上を走査しないと判定した場合は、記録を防止している。本手順により、被記録媒体全体にわたって無駄なインク滴を吐出することなく、効率よく画像形成を行うことが出来るようになる。